(57)【要約】【課題】本出願人が既に考案した実登３１９４５９３号の笛付き鍋蓋は、笛部分は笛ベース部と笛カバー部に分割して笛内部の洗浄を容易に行える構造であり、当該笛部分を蓋部分に着脱式で取り付ける構造で、その着脱は蓋部分の蒸気入口周囲に笛ベース部である磁石を磁力で取り付ける構造であるため、蒸気入口周囲が鉄を含まない材料の場合は蒸気入口周囲に鉄を含む金属の金具を取り着ける必要があったが、本発明は、笛部分は実登３１９４５９３号と同様に笛ベース部と笛カバー部に分割して笛内部の洗浄を容易に行える構造であって、蓋部分は蒸気入口周囲が鉄を含まない材料であっても蒸気入口周囲に鉄を含む金属の金具を取り付けない、衛生的で、実登３１９４５９３号に比して製造工程が少ない、その分製造コストが安い笛付き鍋蓋を提供する。【解決手段】蓋部分Ａに笛ベース部Ｂ１を固定して、当該笛ベース部Ｂ１に笛カバー部Ｂ２を着脱自在に取り付けられる構造にする。【選択図】図２
2017042580.tif 000002
【特許請求の範囲】
【請求項１】
蓋部分に笛ベース部が固定されていて、当該笛ベース部に笛カバー部が着脱自在に取り付けられていることを特徴とする笛付き鍋蓋。
【請求項２】
蓋部分の蒸気入り口１ａの空洞と、笛ベース部の蒸気通路２ａの空洞が、漏斗状になっていることを特徴とする、請求項１に記載の笛付き鍋蓋。
【発明の詳細な説明】
【技術分野】
【０００１】  本発明は、鍋等の蓋として、沸騰による水蒸気圧で笛音を発生して沸騰を知らせる笛を備えた笛付き鍋蓋に関するものである。
【背景技術】
【０００２】  ガス漏れの原因として煮炊きによる吹きこぼれがあり、火事の原因として煮炊きによる鍋等の掛けっ放しで発生する空焚きがあるが、煮炊きの際に、沸騰による水蒸気圧で笛音を発生して沸騰を知らせる笛を備えた笛付き鍋蓋を使用して沸騰を知ることで、煮炊きによる吹きこぼれ及び鍋等の掛けっ放しで発生する空焚きを予防できる。【０００３】  従来の笛付き鍋蓋の内、本発明と同様に、笛部分を笛ベース部と笛カバー部に分割して笛内部の洗浄を容易に行えるものには本出願人が既に考案した実登３１９４５９３号（特許文献２）が有るが、実登３１９４５９３号（特許文献２）は笛部分を蓋部分に着脱式で取り付ける構造で、その着脱は、蓋部分の着脱部分である蒸気入口周囲に笛ベース部である磁石を磁力で取り付ける構造であるため、蒸気入口周囲が鉄を含まない材料の場合は蒸気入口周囲に鉄を含む金属の金具を取り付ける必要があった。
【先行技術文献】
【特許文献】
【０００４】
【特許文献１】特開平７−３２７８３５号  公報
【特許文献２】実登３１９４５９３号  公報
【発明の概要】
【発明が解決しようとする課題】
【０００５】  本発明は、前記した課題を解決するようにしたもので、笛部分は実登３１９４５９３号（特許文献２）と同様に笛ベース部と笛カバー部に分割して笛内部の洗浄を容易に行える構造であって、蓋部分は蒸気入口周囲が鉄を含まない材料であっても蒸気入口周囲に鉄を含む金属の金具を取り付けない構造にして、衛生的で、実登３１９４５９３号（特許文献２）に比して製造工程が少ない、その分製造コストが安い笛付き鍋蓋を提供する。
【課題を解決するための手段】
【０００６】蓋部分、例えば蓋本体または摘まみ等、に笛ベース部を固定して、当該笛ベース部に笛カバー部を着脱自在に取り付けられる構造にする。
【発明の効果】
【０００７】  煮炊きの際に沸騰による水蒸気圧で笛音を発生して沸騰を知らせる笛付きの鍋蓋を使用することで、点火から沸騰までの時間に、調理者は笛音が聞こえる距離内に居れば熱源から離れていても沸騰を知ることができるので吹きこぼれ及び空焚きを予防できる。【０００８】  本出願人が既に考案した実登３１９４５９３（特許文献２）の笛付き鍋蓋は、笛部分は本発明と同様に笛ベース部と笛カバー部に分割して笛内部の洗浄を容易に行える構造であって、当該笛部分を蓋部分に着脱式で取り付ける構造で、その着脱は蓋部分の着脱部分である蒸気入口周囲に笛ベース部である磁石を磁力で取り付ける構造であるため、蒸気入口周囲が鉄を含まない材料の場合は蒸気入口周囲に鉄を含む金属の金具を取り着ける必要があったが、本発明は、笛部分は実登３１９４５９３号（特許文献２）と同様に笛ベース部と笛カバー部に分割して笛内部の洗浄を容易に行える構造であって、蓋部分は蒸気入口周囲が鉄を含まない材料であっても蒸気入口周囲に鉄を含む金属の金具を取り付けない構造である、衛生的で、実登３１９４５９３号（特許文献２）に比して製造工程が少ない、その分製造コストが安い笛付き鍋蓋を提供できる。
【図面の簡単な説明】
【０００９】
【図１】蓋部分の断面図
【図２】笛部分を笛ベース部と笛カバー部に分割した時の断面図
【図３】笛ベース部に笛カバー部を取り付けた時の断面図
【発明を実施するための形態】
【００１０】  煮炊き前の準備として、蓋部分、例えば蓋本体または摘まみ等に固定されている笛ベース部に、笛カバー部を取り付けて、笛付き鍋蓋の状態にして煮炊きを開始する。
【００１１】  沸騰により発生した水蒸気は、蓋部分の蒸気入口→蓋部分に固定されている笛ベース部の蒸気通路→笛ベース部に笛カバー部を取り付けて形成された発音空間→笛カバー部の蒸気出口を通過する時に笛音を発音するので、調理者は笛音が聞こえたら火加減を調節して吹きこぼれを防止する。
【００１２】  煮炊き終了後は、蓋部分に固定されている笛ベース部から、笛カバー部を外して、笛内部の洗浄を行なうが、笛カバー部本体の材料を耐熱性で熱くならない熱硬化性樹脂等にすることで煮炊き中であっても蓋部分に固定されている笛ベース部から笛カバー部を外す事ができる。
【実施例】
【００１３】  図中、Ａは蓋部分、Ｂは笛部分、Ｂ１は笛ベース部、Ｂ２は笛カバー部である。【００１４】  １は蓋本体であり、平面形状は円形で、中央に摘まみ１ｂが固定されていて、摘まみ１ｂと蓋淵１ｃの中間あたりの１か所に蒸気入口１ａとして蓋本体１の平面に対して垂直方向に漏斗状の空洞が有る、【００１５】  ２は笛ベース部本体であり、形状は蓋本体１の上面に対して垂直方向の円筒で、内部中央の漏斗状の空洞である蒸気通路２ａの底部が、蓋部分Ａの蒸気入口１ａの頂部と合致する位置で蓋本体１の上面に、固定されている、固定方法には、蓋本体１と笛ベース部本体２の一体化，ネジ止めなど、が考えられる。笛ベース部本体２の周壁外面は笛ベース部着脱部分２ｂであり、笛ベース部Ｂ１と笛カバー部Ｂ２を螺合する為のネジ状の溝が施されているが、笛ベース部Ｂ１と笛カバー部Ｂ２を噛み合わせる為の垂直方向の溝でもよい。【００１６】  ３は笛カバー部本体であり、笛カバー部周壁３ｄと頂板部３ｃにより構成される。笛カバー部周壁３ｄは、外面は笛ベース部に笛カバー部を着脱する時に手指で持って回す箇所であるので滑り止めの為に平面形状は円形ではなく多角形や波型等で、内面は平面形状が円形の筒型である。笛カバー部周壁３ｄの内面の下半分は笛カバー部着脱部分３ｂであり笛ベース部Ｂ１と笛カバー部Ｂ２を螺合する為のネジ状の溝が施されているが、笛ベース部Ｂ１と笛カバー部Ｂ２を噛み合わせる為の垂直方向の溝でもよい。頂板部３ｃには中央に蒸気出口３ａとして垂直方向に管状の空洞がある。【００１７】  ４は発音空間であり、笛ベース部着脱部分２ｂに、笛カバー部着脱部分３ｂを、取り付ける事により形成される。鍋から発生した水蒸気が発音空間４に流れ込みやすいように、蓋部分の蒸気入り口１ａの空洞と、笛ベース部の蒸気通路２ａの空洞は、漏斗状になっている。
【産業上の利用可能性】
【００１８】  煮炊きの際に、沸騰による水蒸気圧で笛音を発生して沸騰を知らせる笛を備えた笛付き鍋蓋を使用することで、調理者は点火から沸騰までの時間、笛音が聞こえる距離内に居れば、熱源から離れていても沸騰を知ることが出来るので、吹きこぼれの予防、吹きこぼれにより発生するガス漏れの予防、エネルギーの節約、鍋等の掛けっ放しによる空焚きで発生する火事の予防に役立ち、家庭に於いては、各自の外出中に「在宅の家族がガス漏れや火事を起こさないだろうか」という不安を軽減できる。【００１９】  本発明は、笛部分は実登３１９４５９３号（特許文献２）と同様に笛ベース部と笛カバー部に分割して笛内部の洗浄を容易に行える構造であって、蓋部分は蒸気入口周囲が鉄を含まない材料であっても蒸気入口周囲に鉄を含む金属の金具を取り付けない構造である、衛生的で、実登３１９４５９３号（特許文献２）に比して製造工程が少ない、その分製造コストが安い笛付き鍋蓋を提供できる。
【符号の説明】
【００２０】  Ａ    蓋部分
Ｂ    笛部分
Ｂ１  笛ベース部
Ｂ２  笛カバー部
１    蓋本体
１ａ  蒸気入口
１ｂ  摘まみ
１ｃ  蓋淵
２    笛ベース部本体
２ａ  蒸気通路
２ｂ  笛ベース部着脱部分
３    笛カバー部本体
３ａ  蒸気出口
３ｂ  笛カバー部着脱部分
３ｃ  頂板部
３ｄ  笛カバー部周壁
４    発音空間
【図１】
2017042580.tif 000003
【図２】
2017042580.tif 000004
【図３】
2017042580.tif 000005